(57)【要約】【課題】差動伝送用配線基板における配線パターンの設定が容易となり、配線ピッチの狭小化にも対応することが可能な構成の基板設置用コネクタを提供する。【解決手段】基板設置用コネクタ１０において、ハウジング３０により並列保持された複数のコンタクト２０は、それぞれ一対のコンタクト（第１コンタクト２０Ａ）により構成される複数ペアの信号ライン用コンタクトと、各ペアの信号ライン用コンタクトを挟むように配置される複数の接地用コンタクト（第２コンタクト２０Ｂ）とからなる。各ペアの信号ライン用コンタクトの各接続部２１は、ペアごとにまとまって、ハウジング３０の前側面側に配置され、複数の接地用コンタクトの各接続部２１は、ハウジング３０の後側面側に配置されている。【選択図】図１
2017130321.tif 000002
【特許請求の範囲】
【請求項１】
複数のコンタクトと、前記複数のコンタクトを並列保持する保持部材とを有し、回路基板上に設置される基板設置用コネクタであって、
前記複数のコンタクトは、それぞれ一対のコンタクトにより構成される複数ペアの信号ライン用コンタクトと、各ペアの信号ライン用コンタクトを挟むように配置される複数の接地用コンタクトとを含み、
前記複数のコンタクトは、各コンタクトの回路基板との接続部が前記保持部材の一側面側と他側面側とに振り分けられて並列配置されるとともに、各ペアの信号ライン用コンタクトの各接続部は、ペアごとにまとまって、前記一側面側または前記他側面側に配置されることを特徴とする基板設置用コネクタ。
【請求項２】
前記各ペアの信号ライン用コンタクトの各接続部は前記一側面側に配置され、前記複数の接地用コンタクトの各接続部は前記他側面側に配置されることを特徴とする請求項１に記載の基板設置用コネクタ。
【発明の詳細な説明】
【技術分野】
【０００１】
本発明は、例えば回路基板上に実装される基板設置用コネクタに関する。
【背景技術】
【０００２】
この種の基板設置用コネクタとして、複数のコンタクトが所定の配列ピッチで保持部材（ハウジング）内に並列保持されたものが知られている。各コンタクトの配列ピッチは一般的に、回路基板（単に「基板」とも称する）に形成される配線の間隔（配線ピッチ）に対応するように設定される。近年、基板における配線ピッチの狭小化が進んでおり、それに対応するため、各コンタクトの配列ピッチも狭くなる傾向にある。各コンタクトの配列ピッチが一定以下に狭くなると、互いに隣接するコンタクト同士の各接続部（基板上に形成された銅箔等からなるパッド部に半田付けされる部分）が互いに接近し過ぎて、半田付け等の実装作業が困難となる。そこで、各コンタクトの接続部を保持部材の一側面側と他側面側とに交互に振り分けて配置することにより、隣接する接続部間の距離を確保するようにしたコネクタ（「千鳥配列のコネクタ」と称する）も知られている（例えば、下記特許文献１を参照）。
【０００３】
また近年、一対の信号線の各々に互いに逆位相となる信号（以下「差動信号」と称する）を伝送させる差動伝送方式による信号伝送が、伝送速度を高速化することができ雑音にも強いなどの理由により、多くの分野において利用されるようになっている。差動伝送方式に対応した配線を基板に形成する場合、一対の信号線を挟むようにグランド線が配置される、いわゆるＧＳＳＧ配置（Ｇはグランド線、Ｓは信号線を意味する）の配線パターンが採用される。このようなＧＳＳＧ配置の配線パターンにおいても、配線ピッチの狭小化が図られており、そのため、配線ピッチの狭小化に対応し得る上述の千鳥配列のコネクタが用いられることがある。
【先行技術文献】
【特許文献】
【０００４】
【特許文献１】特開２０１５−１８５３５０号公報
【発明の概要】
【発明が解決しようとする課題】
【０００５】
しかしながら、差動伝送方式のためのＧＳＳＧ配置の配線パターンを形成した回路基板（以下「差動伝送用配線基板」とも称する）に千鳥配列のコネクタを用いる場合、基板における配線パターンの設定が難しくなるという課題が生じる。以下、その課題について図１１，１２を参照しながら説明する。図１１は従来技術における千鳥配列のコネクタの平面図であり、図１２はその千鳥配列のコネクタを差動伝送用配線基板に用いた場合の配線パターン例を模式的に示す図である。なお、図１１，１２においては、前後左右の各方向を規定する矢線を図示しており、以下の説明において方向に言及するときはこの矢線が規定する方向に従うこととする。また、図１１では、同じ構成のものが多数ある要素については、一部のみに付番している。
【０００６】
図１１に示すコネクタ１００は、複数のコンタクト１１０と、各コンタクト１１０を等ピッチで左右方向に並列保持するハウジング１２０とを有して構成される。各コンタクト１１０は、互いに同一形状に形成されているが、基板（図示略）に接続される部分（接続部１１１）が前方に延出するように配置された第１コンタクト１１０Ａと、接続部１１１が後方に延出するように配置された第２コンタクト１１０Ｂとに分類される。第１コンタクト１１０Ａと第２コンタクト１１０Ｂは交互に配置されており、これによりコネクタ１
００は、各コンタクト１１０の接続部１１１が、ハウジング１２０の一側面側（前側面側）と他側面側（後側面側）とに交互に振り分けられて配置された千鳥配列のコネクタとして構成されている。このように構成されたコネクタ１００は、各接続部１１１が基板上に形成された配線接続用の各パッド部１３０に半田付けにより接合されるとともに、ハウジング１２０の四隅部に設けられた固定用金具１２２が基板上に形成された固定用のパッド部１３２に半田付けにより接合されることにより、基板上に実装される。
【０００７】
このような千鳥配列のコネクタ１００を差動伝送用配線基板に用いる場合、基板には、コネクタ１００の構成に応じたＧＳＳＧ配置の配線パターンが形成される。図１２はその一例を示している。図１２には、前後２列に互い違い（千鳥状）に配列された６つのパッド部１３０Ａ〜１３０Ｆと、各パッド部１３０Ａ〜１３０Ｆから延びるライン部１３４Ａ〜１３４Ｆを図示している。後列の３つのパッド部１３０Ａ，１３０Ｃ，１３０Ｅは、上記第２コンタクト１１０Ｂの接続部１１１と電気的に接続されるものであり、前列の３つのパッド部１３０Ｂ，１３０Ｄ，１３０Ｆは、上記第１コンタクト１１０Ａの接続部１１１と電気的に接続されるものである。ここで、６つのライン部１３４Ａ〜１３４Ｆは、ライン部１３４Ａ，１３４Ｄがグランド線（Ｇ）、ライン部１３４Ｂ，１３４Ｃ，１３４Ｅ，１３４Ｆが差動信号伝送用の信号線（Ｓ）として設定されたＧＳＳＧ配置の配線パターンとなっている。以下、差動信号伝送用の一対の要素（パッド部やライン部）のことを差動対と称する。図１２の例では、破線で囲んだパッド部１３０Ｂ，１３０Ｃのペアとライン部１３４Ｂ，１３４Ｃのペア、同じくパッド部１３０Ｅ，１３０Ｆのペアとライン部１３４Ｅ，１３４Ｆのペアが差動対を構成する。
【０００８】
差動対をなすパッド部１３０Ｅ，１３０Ｆは千鳥配列となっているため、各ライン部１３４Ａ〜１３４Ｆが延びる方向（前後方向）に互いに位置がずれて配置されている（パッド部１３０Ｂ，１３０Ｃについても同様）。差動伝送用配線基板では、差動対を構成する２つのライン部の配線長が互いに等しいことが要求される。そこで、図１２に示す例では、後列のパッド部１３０Ｅから延びるライン部１３４Ｅを直線的に構成する一方で、前列のパッド部１３０Ｆから延びるライン部１３４Ｆを部分的に屈曲するように構成し、これにより、各々の配線長が等しくなるようにしている。しかし、このような配線パターンとすると、２つのライン部１３４Ｅ，１３４Ｆ間の距離（左右方向の間隔）が場所によって異なることになるため、両ライン部間の結合状態が崩れてしまい良好な信号伝送を行えない虞がある。このため実際には、差動対を構成する２つのライン部の等長性を確保しつつ、良好な信号伝送を行うことが可能な配線パターンが要求されることとなり、そのことが配線パターンの設定を困難にしている。
【０００９】
本発明は、このような事情に鑑みてなされたものであり、差動伝送用配線基板における配線パターンの設定が容易となり、配線ピッチの狭小化にも対応することが可能な構成の基板設置用コネクタを提供することを目的とする。
【課題を解決するための手段】
【００１０】
上記目的を達成するため、本発明に係る基板設置用コネクタは、複数のコンタクトと、複数のコンタクトを並列保持する保持部材（例えば、実施形態におけるハウジング３０）とを有し、回路基板上に設置される基板設置用コネクタであって、複数のコンタクトは、それぞれ一対のコンタクト（例えば、実施形態における第１コンタクト２０Ａ）により構成される複数ペアの信号ライン用コンタクトと、各ペアの信号ライン用コンタクトを挟むように配置される複数の接地用コンタクト（例えば、実施形態における第２コンタクト２０Ｂ）とを含み、複数のコンタクトは、各コンタクトの回路基板との接続部が保持部材の一側面側と他側面側とに振り分けられて並列配置されるとともに、各ペアの信号ライン用コンタクトの各接続部は、ペアごとにまとまって、一側面側または他側面側に配置されることを特徴とする。
【００１１】
上述の基板設置用コネクタにおいて、各ペアの信号ライン用コンタクトの各接続部は一側面側に配置され、複数の接地用コンタクトの各接続部は他側面側に配置されることが好ましい。
【発明の効果】
【００１２】
本発明に係る基板設置用コネクタは、保持部材により並列保持された複数のコンタクトが、それぞれ一対のコンタクトにより構成される複数ペアの信号ライン用コンタクトと、各ペアの信号ライン用コンタクトを挟むように配置される複数の接地用コンタクトとを含み、複数のコンタクトは、各コンタクトの回路基板との接続部が保持部材の一側面側と他側面側とに振り分けられて並列配置されるとともに、各ペアの信号ライン用コンタクトの各接続部は、ペアごとにまとまって、一側面側または他側面側に配置されるので、各ペアの信号ライン用コンタクトの各接続部は、一側面側または他側面側においてペアごとに位置が揃うことになる。このため、各ペアの信号ライン用コンタクトを差動信号伝送用として用いることにより、回路基板（差動伝送用配線基板）において、差動対を構成する一対のパッド部（信号ライン用コンタクトの接続部と接続されるパッド部）の位置も揃えて配置することが可能となる。したがって、差動対をなす一対のパッド部から延びる２つのライン部の配線長を等長に形成することが容易となるので、良好な配線パターンを容易に設定することが可能となる。また、各コンタクトの回路基板との接続部が、保持部材の一側面側と他側面側とに振り分けられて配置されるので、一側面側に接続部が配置されるコンタクトと、これと隣接して配列される、他側面側に接続部が配置されるコンタクトとの間の配列ピッチを狭く設定することができるので、回路基板の配線ピッチの狭小化にも対応することが可能である。
【００１３】
また、各ペアの信号ライン用コンタクトの各接続部は一側面側に配置され、複数の接地用コンタクトの各接続部は他側面側に配置される構成とすることにより、信号ライン用コンタクトと接地用コンタクトとを目視等により容易に区別することが可能となるので、コネクタを回路基板に実装する際の作業性を向上させることができる。
【図面の簡単な説明】
【００１４】
【図１】本発明の一実施形態に係る基板設置用コネクタを示す平面図である。
【図２】上記基板設置用コネクタを示す斜視図である。
【図３】上記基板設置用コネクタのコンタクトを示し、（Ａ）は信号ライン用コンタクト（第１コンタクト）の斜視図、（Ｂ）は接地用コンタクト（第２コンタクト）の斜視図である。
【図４】相手側コネクタを示す斜視図である。
【図５】互いに嵌合接続した状態の基板設置用コネクタ及び相手側コネクタを示す斜視図である。
【図６】上記相手側コネクタのコンタクトを示し、（Ａ）はそのコンタクト単独の斜視図、（Ｂ）はそのコンタクトが上記信号ライン用コンタクトと接続された状態の斜視図、（Ｃ）はそのコンタクトが上記接地用コンタクトと接続された状態の斜視図である。
【図７】互いに嵌合接続した状態の基板設置用コネクタ及び相手側コネクタを示す、信号ライン用コンタクトの配設位置での断面図である。
【図８】互いに嵌合接続した状態の基板設置用コネクタ及び相手側コネクタを示す、接地用コンタクトの配設位置での断面図である。
【図９】上記基板設置用コネクタが実装される回路基板における配線パターンの一例を示す模式図である。
【図１０】変更態様の基板設置用コネクタが実装される回路基板における配線パターンの一例を示す模式図である。
【図１１】従来の千鳥配列のコネクタを示す平面図である。
【図１２】上記千鳥配列のコネクタが実装される回路基板における配線パターンの一例を示す模式図である。
【発明を実施するための形態】
【００１５】
以下、本発明の好ましい実施形態について図面を参照しながら説明する。なお、各図面においては、前後等の各方向を規定する矢線を図示しており、以下の説明において方向に言及するときはこの矢線が規定する方向に従うこととする。また、各図面において、同じ構成のものが多数ある要素については、一部のみに付番している。
【００１６】
まず、本実施形態に係る基板設置用コネクタの構成について、図１〜３を参照して説明する。図１，２に示すように基板設置用コネクタ１０（単に「コネクタ１０」とも称する）は、複数のコンタクト２０と、各コンタクト２０を等ピッチで左右方向に並列保持する保持部材としてのハウジング３０とを有して構成される。各コンタクト２０は、互いに同形状に形成されているが、回路基板（図示略）に接続される部分（接続部２１）が前方に延出するように配置された第１コンタクト２０Ａと、接続部２１が後方に延出するように配置された第２コンタクト２０Ｂ（図２では接続部２１が隠れて見えない）とに分類される。
【００１７】
詳細には第１コンタクト２０Ａは、図３（Ａ）に示すように、前後方向に水平に延びる接続部２１と、接続部２１の一端から上方に延びる圧入部２２と、圧入部２２の一端（上端）から連続するように形成されたＵ字状の接触部２３とが、導電性の金属材料により一体に形成されており、接触部２３の一端側は弾性変形可能な接触片２４として構成されている。一方、第２コンタクト２０Ｂは、図３（Ｂ）に示すように、第１コンタクト２０Ａと同形状のコンタクトを前後逆向きに配置したものであり、第１コンタクト２０Ａと同じ構成を有している。このように２つのコンタクト２０Ａ，２０Ｂを同一形状の部材とすることにより、コネクタ１０の構成部品の種類を削減することができるので、コネクタ１０の製造コストを抑制することが可能となるとともに、コネクタ１０を組み立てる際の作業性も向上する。
【００１８】
ハウジング３０は、樹脂等の電気絶縁性材料を用いて一体成形されており、左右方向に延びた形状を有している。ハウジング３０には、第１コンタクト２０Ａを収容保持する複数の第１コンタクト収容部３１と、第２コンタクト２０Ｂを収容保持する複数の第２コンタクト収容部３２とが左右方向に並ぶように形成されている（図１を参照）。より詳細には第１コンタクト収容部３１は２つがペアをなすように互いに隣接して配置され、第２コンタクト収容部３２はペアをなす一対の第１コンタクト収容部３１を挟むように配置されている。また、ハウジング３０には、ハウジング３０の三辺を囲むようにコ字型に形成されたシールド用の帯状金具４０と、この帯状金具４０と一体に形成されハウジング３０の四隅部に配置された固定用金具４２が取り付けられており、帯状金具４０のハウジング３０と対向する面には２つの凸部４４が形成されている。
【００１９】
図１に示すように、各第１コンタクト２０Ａは、接続部２１が前方に延出するような向きで各第１コンタクト収容部３１内に収容保持され、各第２コンタクト２０Ｂは、接続部２１が後方に延出するような向きで各第２コンタクト収容部３２内に収容保持される（詳細には、圧入部２２がハウジング３０に形成された圧入受容部（図示略）内に圧入されて保持される）。各コンタクト２０Ａ，２０Ｂが収容保持された状態において、第１コンタクト２０Ａは２つがペアをなすように互いに隣接して配置され、第２コンタクト２０Ｂはペアをなす一対の第１コンタクト２０Ａを挟むように配置されることになる。また、各第１コンタクト２０Ａの接続部２１はハウジング３０の前側面側において、各第２コンタクト２０Ｂの接続部２１はハウジング３０の後側面側において、それぞれ左右方向（ハウジング３０の幅方向）に一列に整列するように配置される。
【００２０】
上述のように基板設置用コネクタ１０は、各コンタクト２０（第１コンタクト２０Ａ及び第２コンタクト２０Ｂ）の接続部２１がハウジング３０の一側面側（前側面側）と他側面側（後側面側）とに略２対１の割合で交互に振り分けられて配置された変則的な千鳥配列のコネクタとして構成されている。また、ペアをなす一対の第１コンタクト２０Ａは差動信号伝送用の信号ライン用コンタクトとして用いられ、一対の第１コンタクト２０Ａを挟むように配置される第２コンタクト２０Ｂは接地用コンタクトとして用いられるように構成されている。このように構成された基板設置用コネクタ１０は、各接続部２１が基板（差動伝送用配線基板）上に形成された配線接続用の各パッド部９０（図１を参照）に半田付けにより接合されるとともに、帯状金具４０及び固定用金具４２が基板上に形成された固定用及び接地用のパッド部９２（図１を参照）に半田付けによって接合されることにより、基板上に実装される。
【００２１】
次に、上記基板設置用コネクタ１０と接続される相手側コネクタ５０の構成及び両コネクタ１０，５０の嵌合状態での構成について、さらに図４〜８を追加参照して説明する。相手側コネクタ５０（単に「コネクタ５０」とも称する）は、互いに平行に延びた複数の同軸ケーブルＣの端部に取り付けられたハウジング６０と、このハウジング６０に保持されて上記同軸ケーブルＣの各々と接続された複数のコンタクト７０（図６〜８を参照）とを主体に構成されている。
【００２２】
同軸ケーブルＣは、図７，８に示すように、その中心部に導電性材料からなる芯線Ｓ１を有し、その外周を覆うようにビニール等の電気絶縁性材料からなる内側被覆Ｂ１が設けられている。そして、この内側被覆Ｂ１の外周を覆うように導電性材料からなるシールド線Ｓ２が設けられており、さらに、このシールド線の外周を覆うようにビニール等の電気絶縁性材料からなる外側被覆Ｂ２が設けられて構成されている。
【００２３】
ハウジング６０は、それぞれ樹脂等の電気絶縁性材料により形成された上ハウジング６１と下ハウジング６２とが組み合わされて構成されており、左右方向に延びた形状を有している。上ハウジング６１と下ハウジング６２が組み合わされた状態において両ハウジング６１，６２間には、複数のケーブル収容部が形成されており、各ケーブル収容部内に、同軸ケーブルＣが収容されるように構成されている。より詳細には図７，８に示すように、同軸ケーブルＣは、その先端部分における外側被覆Ｂ２及びシールド線Ｓ２が剥離されて内側被覆Ｂ１が露出した状態で、ケーブル収容部内に収容されるようになっている。
【００２４】
また、上ハウジング６１には、金属等の導電性材料により形成された第１シールド板８１が上ハウジング６１の主に上面側を覆うように取り付けられており、下ハウジング６２には、同じく金属等の導電性材料により形成された第２シールド板８２がインサート成形により下ハウジング６２と一体に形成されている。第１シールド板８１の後端側の一部（左右方向の複数個所）には、図７，８に示すように、下方に屈曲しながら延びて先端側が２つに分岐した形状の接触部８３が形成されており、第２シールド板８２には、第１シールド板８１の接触部８３と対応した位置に、接触部８３の先端部が挿通される孔部（図示略）が形成されている。また、上下ハウジング６１，６２間に収容された同軸ケーブルＣは、第１シールド板８１の接触部８３と対応する位置において、外側被覆Ｂ２の一部が剥離されてシールド線Ｓ２が露出した状態とされており、この露出したシールド線Ｓ２が、第１シールド板８１の接触部８３と接触して第１シールド板８１と電気的に接続されるとともに、第２シールド板８２の後端側の一部と接触して第２シールド板８２とも電気的に接続されるようになっている。
【００２５】
複数のコンタクト７０は、金属等の導電性材料により全て同一形状に形成されており、その各々が下ハウジング６２と一体にインサート成形され、上記基板設置用コネクタ１０
の各コンタクト２０の配列ピッチと同一のピッチで下ハウジング６２の幅方向（左右方向）に整列した状態で配設されている。詳細にはコンタクト７０は、図６（Ａ）に示すように、前後方向に水平に延びる基端部７１と、基端部７１の一端から連続するように形成されたＵ字状の接触部７２とが一体に形成されており、接触部７２の一端側には、先端部が２つに分岐した形状の圧接部７３が形成されている。この圧接部７３は、上下ハウジング６１，６２間に同軸ケーブルＣが収容される際に、同軸ケーブルＣの先端部の内側被覆Ｂ１が露出した部分において同軸ケーブルＣに圧接されて芯線Ｓ１と接触し、芯線Ｓ１とコンタクト７０とを電気的に接続するようになっている（図７，８を参照）。
【００２６】
基板設置用コネクタ１０と相手側コネクタ５０は、図５に示すように互いに嵌合接続される。このとき、相手側コネクタ５０の各コンタクト７０の接触部７２が、基板設置用コネクタ１０の第１コンタクト２０Ａまたは第２コンタクト２０Ｂの接触部２３内に嵌入されて接触し、コンタクト７０と第１コンタクト２０Ａまたは第２コンタクト２０Ｂとが電気的に接続される。また、両コネクタ１０，５０が互いに嵌合した状態において、相手側コネクタ５０の第１シールド板８１及び第２シールド板８２が、基板設置用コネクタ１０の固定用金具４２及び帯状金具４０の凸部４４とそれぞれ接触し、これにより相手側コネクタ５０の第１シールド板８１及び第２シールド板８２と、基板設置用コネクタ１０の帯状金具４０及び固定用金具４２とが一体的に電気的に接続されるとともに、帯状金具４０及び固定用金具４２を介して接地されるようになっている。
【００２７】
次に、上述した基板設置用コネクタ１０により奏される効果について、さらに図９を追加参照して説明する。上述したようにコネクタ１０は、それぞれ一対の第１コンタクト２０Ａにより構成される複数ペアの信号ライン用コンタクトと、各ペアの信号ライン用コンタクトを挟むように配置される複数の接地用コンタクト（第２コンタクト２０Ｂ）とが、ハウジング３０により並列保持されている。また、各ペアの第１コンタクト２０Ａ（信号ライン用コンタクト）の各接続部２１はハウジング３０の前側面側に一列に並ぶように、複数の第２コンタクト２０Ｂの各接続部２１はハウジング３０の後側面側に一列に並ぶように配置されている。すなわち、各ペアの第１コンタクト２０Ａの各接続部２１は、ハウジング３０の前側面側においてペアごとに位置が揃うように配置されている。
【００２８】
したがって、コネクタ１０が実装される差動伝送用配線基板において、一対の第１コンタクト２０Ａの各接続部２１と接続されるパッド部（差動対を構成する一対のパッド部）も位置を揃えて配置することが可能となる。図９はその一例を示している。図９には、コネクタ１０の構成に応じて、前後２列に２対１の割合で配列された６つのパッド部９０Ａ〜９０Ｆと、各パッド部９０Ａ〜９０Ｆから延びるライン部９４Ａ〜９４Ｆを図示している。後列の２つのパッド部９０Ａ，９０Ｄは、上記第２コンタクト２０Ｂの接続部２１と電気的に接続されるものであり、前列の４つのパッド部９０Ｂ，９０Ｃ，９０Ｅ，９０Ｆは、上記第１コンタクト２０Ａの接続部２１と電気的に接続されるものである。また、６つのライン部９４Ａ〜９４Ｆは、ライン部９４Ａ，９４Ｄがグランド線（Ｇ）、ライン部９４Ｂ，９４Ｃ，９４Ｅ，９４Ｆが差動信号伝送用の信号線（Ｓ）として設定されたＧＳＳＧ配置の配線パターンとなっている。
【００２９】
図９の例では、差動対を構成する一対のパッド部９０Ｅ，９０Ｆ（破線で囲んで示す）が、各ライン部９４Ａ〜９４Ｆの延びる方向（前後方向）に互いに位置が揃うように配置されている（パッド部９０Ｂ，９０Ｃについても同様）。このため、パッド部９０Ｅから延びるライン部９４Ｅとパッド部９０Ｆから延びるライン部９４Ｆを共に直線的に構成するだけで、２つのライン部９４Ｅ，９４Ｆの配線長を等長に形成することが可能となり、かつ２つのライン部９４Ｅ，９４Ｆ間の距離を場所によらず一定とすることが可能となる（ライン部９４Ｂ，９４Ｃについても同様）。したがって、コネクタ１０が実装される差動伝送用配線基板において、良好な配線パターンを容易に設定することが可能となる。
【００３０】
また、コネクタ１０においては、複数の第１コンタクト２０Ａ及び第２コンタクト２０Ｂの各接続部２１が、ハウジング３０の前側面側と後側面側とに振り分けられて配置されているので、ハウジング３０内において互いに隣接して配列される第１コンタクト２０Ａと第２コンタクト２０Ｂとの間の配列ピッチを狭くしても、それぞれの接続部２１を基板のパッド部に半田付けする際の作業性に支障は生じない（それぞれの接続部２１がハウジング３０を挟んで離れて位置しているため）。したがって、互いに隣接して配列される第１コンタクト２０Ａと第２コンタクト２０Ｂとの間の配列ピッチを狭くすることによって、差動伝送用配線基板における配線ピッチの狭小化にも対応することが可能である。図９に示す例で言えば、ライン部９４Ａとライン部９４Ｂとの間の配線ピッチや、ライン部９４Ｄとライン部９４Ｃまたはライン部９４Ｅとの間の配線ピッチの狭小化に対応することが可能である。
【００３１】
さらに、コネクタ１０においては、各ペアの第１コンタクト２０Ａの各接続部２１はハウジング３０の前側面側に配置され、複数の第２コンタクト２０Ｂの各接続部２１はハウジング３０の後側面側に配置されているため、信号ライン用コンタクト（第１コンタクト２０Ａ）と接地用コンタクト（第２コンタクト２０Ｂ）とを目視等により容易に区別することができるので、コネクタ１０を差動伝送用配線基板に実装する際の作業性も良いものとなっている。
【００３２】
これまで本発明の好ましい実施形態について説明してきたが、本発明の範囲はこれに限定されるものではない。例えば、上記実施形態では、信号ライン用コンタクトとして使用される第１コンタクト２０Ａの接続部２１はハウジング３０の前側面側に配置され、接地用コンタクトとして使用される第２コンタクト２０Ｂの接続部２１はハウジング３０の後側面側に配置されているが、このような配置態様としないことも可能である。すなわち、本発明において、各ペアの信号ライン用コンタクトの各接続部は、ペアごとにまとまっていれば、保持部材（ハウジング）の一側面側と他側面側とのどちらに配置されていてもよく、接地用コンタクトに関しても、接地用コンタクトが各ペアの信号ライン用コンタクトを挟むように配置されていれば、各接地用コンタクトの接続部は保持部材の一側面側と他側面側とのどちらに配置されていてもよい。
【００３３】
例えば、保持部材により互いに隣接して並列保持される３つのコンタクトを１つのグループ（「コンタクトグループ」と称する）として、そのうちの１番目のコンタクトを接地用コンタクト、２番目と３番目のコンタクトを差動信号伝送用の一対の信号ライン用コンタクトとする。さらに、或るコンタクトグループにおける３つのコンタクトの各接続部は保持部材の一側面側まとめて配置し、その隣のコンタクトグループにおける３つのコンタクトの各接続部は保持部材の他側面側にまとめて配置するというように、各コンタクトグループにおける３つのコンタクトの各接続部をグループごとに、保持部材の一側面側と他側面側とに交互に振り分けて配置する、という態様にしてもよい。
【００３４】
このような態様の基板設置用コネクタ（「変更態様のコネクタ」と称する）の場合、そのコネクタが実装される差動伝送用配線基板における配線パターンは、例えば、図１０に示すように設定することができる。図１０には、上記変更態様のコネクタの構成に応じて、前後２列に３対３の割合で配列された６つのパッド部９０Ｐ〜９０Ｕと、各パッド部９０Ｐ〜９０Ｕから延びるライン部９４Ｐ〜９４Ｕを図示している。後列の３つのパッド部９０Ｐ〜９０Ｒは、保持部材の後側面側に接続部が配置されたコンタクトグループに対応するものであり、そのうち、左から１番目のパッド部９０Ｐは接地用コネクタと電気的に接続され、２番目、３番目のパッド部９０Ｑ，９０Ｒは差動対を構成し、一対の信号ライン用コンタクトと電気的に接続される。同様に、前列の３つのパッド部９０Ｓ〜９０Ｕは、保持部材の前側面側に接続部が配置されたコンタクトグループに対応するものであり、
そのうち、左から１番目のパッド部９０Ｓは接地用コネクタと電気的に接続され、２番目、３番目のパッド部９０Ｔ，９０Ｕは差動対を構成し、一対の信号ライン用コンタクトと電気的に接続される。また、６つのライン部９４Ｐ〜９４Ｕは、ライン部９４Ｐ，９４Ｓがグランド線（Ｇ）、ライン部９４Ｑ，９４Ｒ，９４Ｔ，９４Ｕが差動信号伝送用の信号線（Ｓ）として設定されたＧＳＳＧ配置の配線パターンとなっている。
【００３５】
図１０に示す例でも、差動対を構成する一対のパッド部９０Ｑ，９０Ｒは、各ライン部９４Ｐ〜９４Ｕの延びる方向（前後方向）に互いに位置が揃うように配置することができる（パッド部９０Ｔ，９０Ｕについても同様）。このため、パッド部９０Ｑから延びるライン部９４Ｑとパッド部９０Ｒから延びるライン部９４Ｒを共に直線的に構成するだけで、２つのライン部９４Ｑ，９４Ｒの配線長を等長に形成することが可能となり、かつ２つのライン部９４Ｑ，９４Ｒ間の距離を場所によらず一定とすることが可能となる（ライン部９４Ｔ，９４Ｕについても同様）。したがって、上記変更態様のコネクタが実装される差動伝送用配線基板においても、良好な配線パターンを容易に設定することが可能となる。
【００３６】
また、上述の実施形態においては、１つの信号ライン用コンタクト（第１コンタクト２０Ａ）のペアとその隣の信号ライン用コンタクトのペアとの間に接地用コンタクト（第２コンタクト２０Ｂ）が１つ配置されるように構成されているが、信号ライン用コンタクトのペアとペアの間に複数の接地用コンタクトを配置するようにしてもよい。
【００３７】
また、上述の実施形態において示した基板設置用コネクタ１０や相手側コネクタ５０における各構成部品の数量や形状等は一例に過ぎず、本発明の範囲内において任意に変更することが可能である。
【符号の説明】
【００３８】
１０  基板設置用コネクタ
２０  （基板設置用コネクタの）コンタクト
２０Ａ  第１コンタクト（信号ライン用コンタクト）
２０Ｂ  第２コンタクト（接地用コンタクト）
２１  接続部
３０  （基板設置用コネクタの）ハウジング（保持部材）
５０  相手側コネクタ
６０  （相手側コネクタの）ハウジング
７０  （相手側コネクタの）コンタクト
９０，９０Ａ〜９０Ｆ，９０Ｐ〜９０Ｕ  （配線接続用の）パッド部
９４Ａ〜９４Ｆ，９４Ｐ〜９４Ｕ  ライン部
Ｃ  同軸ケーブル
【図１】
2017130321.tif 000003
【図２】
2017130321.tif 000004
【図３】
2017130321.tif 000005
【図４】
2017130321.tif 000006
【図５】
2017130321.tif 000007
【図６】
2017130321.tif 000008
【図７】
2017130321.tif 000009
【図８】
2017130321.tif 000010
【図９】
2017130321.tif 000011
【図１０】
2017130321.tif 000012
【図１１】
2017130321.tif 000013
【図１２】
2017130321.tif 000014